(57)【要約】【課題】メールクライアント間での電子メールの送受信を高秘匿で行うことを可能とする、電子メールシステムとメールクライアント及びその制御方法並びにプログラム、を提供する。【解決手段】送信側のメールクライアントは、作成された電子メールを暗号化して暗号化メールを生成し、該暗号化メールを複数Ｎ個にファイル分割して複数Ｎ個の分割暗号化メールを生成し、該複数Ｎ個の分割暗号化メールをそれぞれ異なる複数Ｎのメールサーバに送信することにより複数Ｎの通信経路を介して受信側のメールクライアントに送信し、受信側のメールクライアントは、複数Ｎのメールサーバからそれぞれ前記複数Ｎ個の分割暗号化メールを受信し、受信した前記複数Ｎ個の分割暗号化メールを１つに結合して前記暗号化メールに戻す処理を行ない、前記暗号化メールを復号して前記電子メールに戻す処理を行なう。【選択図】      図１
2004355089.tif 000002
【特許請求の範囲】
【請求項１】
メールサーバとメールクライアントとが通信ネットワークを介して通信可能に接続されて構成される電子メールシステムであって、電子メールの送信側のメールクライアントは、作成された電子メールを暗号化して暗号化メールを生成し、該暗号化メールを複数Ｎ個にファイル分割して複数Ｎ個の分割暗号化メールを生成し、該複数Ｎ個の分割暗号化メールをそれぞれ異なる複数Ｎのメールサーバに送信することにより複数Ｎの通信経路を介して受信側のメールクライアントに送信し、受信側のメールクライアントは、複数Ｎのメールサーバからそれぞれ前記複数Ｎ個の分割暗号化メールを受信し、受信した前記複数Ｎ個の分割暗号化メールを１つに結合して前記暗号化メールに戻す処理を行ない、前記暗号化メールを復号して前記電子メールに戻す処理を行なう、ことを特徴とする電子メールシステム。
【請求項２】
前記送信側のメールクライアントは、少なくとも、少なくとも複数Ｎのメールサーバの電子メールアカウントを登録し記憶するアカウント設定記憶手段と、受信側のメールクライアントの少なくとも複数Ｎのメールアドレスを登録し記憶するアドレス帳設定記憶手段と、電子メールを作成するメール作成手段と、作成された電子メールを暗号化して暗号化メールを生成する暗号化手段と、該暗号化メールを複数Ｎ個にファイル分割して複数Ｎ個の分割暗号化メールを生成するメール分割手段と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信手段と、を備え、前記受信側のメールクライアントは、少なくとも、複数Ｎのメールサーバの電子メールアカウントを登録し記憶するアカウント設定記憶手段と、複数Ｎのメールアドレスを登録し記憶するアドレス帳設定記憶手段と、複数Ｎのメールサーバからそれぞれ前記複数Ｎ個の分割暗号化メールを受信するメール受信手段と、受信した前記複数Ｎ個の分割暗号化メールを１つに結合して前記暗号化メールに戻す処理を行なうメール結合手段と、前記暗号化メールを復号して前記電子メールに戻す処理を行なう復号化手段と、前記電子メールを閲覧させるメール閲覧手段と、を備える、ことを特徴とする請求項１に記載の電子メールシステム。
【請求項３】
電子メールを受信し転送するメールサーバに通信ネットワークを介して通信可能に接続されるメールクライアントであって、前記メールクライアントは、作成された電子メールを暗号化して暗号化メールを生成し、該暗号化メールを複数Ｎ個にファイル分割して複数Ｎ個の分割暗号化メールを生成し、該複数Ｎ個の分割暗号化メールをそれぞれ異なる複数Ｎのメールサーバに送信することにより複数Ｎの通信経路を介して前記電子メールの宛先となるメールクライアントに送信する、ことを特徴とするメールクライアント。
【請求項４】
前記メールクライアントは、複数Ｎのメールサーバからそれぞれ複数Ｎ個の分割暗号化メールを受信した場合には、受信した前記複数Ｎ個の分割暗号化メールを１つに結合して暗号化メールに戻す処理を行ない、前記暗号化メールを復号して電子メールに戻す処理を行なう、ことを特徴とする請求項３に記載のメールクライアント。
【請求項５】
前記メールクライアントは、少なくとも複数Ｎのメールサーバの電子メールアカウントを登録し記憶するアカウント設定記憶手段と、受信側のメールクライアントの少なくとも複数Ｎのメールアドレスを登録し記憶するアドレス帳設定記憶手段と、電子メールを作成するメール作成手段と、作成された電子メールを暗号化して暗号化メールを生成する暗号化手段と、該暗号化メールを複数Ｎ個にファイル分割して複数Ｎ個の分割暗号化メールを生成するメール分割手段と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信手段と、複数Ｎのメールサーバからそれぞれ複数Ｎ個の分割暗号化メールを受信するメール受信手段と、受信した前記複数Ｎ個の分割暗号化メールを１つに結合して暗号化メールに戻す処理を行なうメール結合手段と、前記暗号化メールを復号して電子メールに戻す処理を行なう復号化手段と、前記電子メールを閲覧させるメール閲覧手段と、を備えることを特徴とする請求項３或いは請求項４の何れか１項に記載のメールクライアント。
【請求項６】
電子メールを受信し転送するメールサーバに通信ネットワークを介して通信可能に接続されるメールクライアントを制御するメールクライアントの制御方法であって、少なくとも複数Ｎのメールサーバの電子メールアカウントをアカウント設定記憶手段に登録し記憶するアカウント設定記憶ステップと、受信側のメールクライアントの少なくとも複数Ｎのメールアドレスをアドレス帳設定記憶手段に登録し記憶するアドレス帳設定記憶ステップと、電子メールを作成するメール作成ステップと、作成された電子メールを暗号化して暗号化メールを生成する暗号化ステップと、該暗号化メールを複数Ｎ個にファイル分割して複数Ｎ個の分割暗号化メールを生成するメール分割ステップと、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信ステップと、を実行することを特徴とするメールクライアントの制御方法。
【請求項７】
前記メールクライアントが複数Ｎのメールサーバからそれぞれ複数Ｎ個の分割暗号化メールを受信した場合には、受信した前記複数Ｎ個の分割暗号化メールを１つに結合して暗号化メールに戻す処理を行なうメール結合ステップと、前記暗号化メールを復号して電子メールに戻す処理を行なう復号化ステップと、前記電子メールを閲覧させるメール閲覧ステップと、を実行することを特徴とする請求項６に記載のメールクライアントの制御方法。
【請求項８】
電子メールを受信し転送するメールサーバに通信ネットワークを介して通信可能に接続されるメールクライアントのコンピュータに、少なくとも複数Ｎのメールサーバの電子メールアカウントをアカウント設定記憶手段に登録し記憶するアカウント設定記憶処理と、受信側のメールクライアントの少なくとも複数Ｎのメールアドレスをアドレス帳設定記憶手段に登録し記憶するアドレス帳設定記憶処理と、電子メールを作成するメール作成処理と、作成された電子メールを暗号化して暗号化メールを生成する暗号化処理と、該暗号化メールを複数Ｎ個にファイル分割して複数Ｎ個の分割暗号化メールを生成するメール分割処理と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信処理と、を実行させることを特徴とするプログラム。
【請求項９】
前記メールクライアントが複数Ｎのメールサーバからそれぞれ複数Ｎ個の分割暗号化メールを受信した場合には、受信した前記複数Ｎ個の分割暗号化メールを１つに結合して暗号化メールに戻すメール結合処理と、前記暗号化メールを復号して電子メールに戻す復号化処理と、前記電子メールを閲覧させるメール閲覧処理と、を実行させることを特徴とする請求項８に記載のプログラム。
【発明の詳細な説明】
【０００１】
【発明の属する技術分野】
本発明は、電子メールシステムとメールクライアント及びその制御方法並びにプログラムに関し、特に、メールクライアント間での電子メールの送受信を高秘匿で行うことを可能とする、電子メールシステムとメールクライアント及びその制御方法並びにプログラムに関する。
【０００２】
【従来の技術】
最近の電子メールの利用状況には目覚しいものがあり、業務上においてもプライベートな面においても電子メールが必須の状況となってきている。
【０００３】
電子メールによって情報の伝達を行う場合、通常は、作成した電子メールを、作成した形式のままで送受信するようになっているが、特に業務上などにおいて、秘密を要する情報の伝達を行いたい場合には、電子メールの傍受などによる漏洩を避け安全に情報伝達を行わせる為に、暗号化した形式で電子メールを送受信するようにしているシステムも存在する（例えば、特許文献１参照。）。
【０００４】
上記した特許文献１に記載のシステムは、共通鍵によってメッセージを暗号化した暗号化メッセージを送信側クライアントから受信し、指定された受信側クライアントへ暗号化メッセージを転送するサーバと、共通鍵と該共通鍵を管理する要求とを含む鍵管理要求を送信側クライアントから受信して記憶すると伴に、暗号化メッセージを復号する共通鍵を送付することを要求する鍵送付要求を受信側クライアントから受信し、記憶した鍵管理要求に含まれる共通鍵の中から鍵送付要求に適合する共通鍵を抽出して、受信側クライアントへ送信する鍵管理サーバとを備える構成となっている。
【０００５】
【特許文献１】
特開２００１−３４５８３７号公報（第７−９頁、図１−３）
【０００６】
【発明が解決しようとする課題】
しかしながら、上述した従来の暗号化形式の電子メールシステムであっても、暗号は解読されてしまう場合も有り得るものであり、必ずしも安全が保証されるものではなく、より一層、高秘匿を実現する電子メールシステムが望まれる状況になってきている。
【０００７】
本発明は、より一層の高秘匿を実現する電子メールシステムを提供する為に成されたものであり、従って本発明の目的は、メールクライアント間での電子メールの送受信を高秘匿で行うことを可能とする、電子メールシステムとメールクライアント及びその制御方法並びにプログラム、を提供することにある。
【０００８】
【課題を解決するための手段】
本発明の電子メールシステムは、メールサーバとメールクライアントとが通信ネットワークを介して通信可能に接続されて構成される電子メールシステムであって、電子メールの送信側のメールクライアントは、作成された電子メールを暗号化して暗号化メールを生成し、該暗号化メールを複数Ｎ個にファイル分割して複数Ｎ個の分割暗号化メールを生成し、該複数Ｎ個の分割暗号化メールをそれぞれ異なる複数Ｎのメールサーバに送信することにより複数Ｎの通信経路を介して受信側のメールクライアントに送信し、受信側のメールクライアントは、複数Ｎのメールサーバからそれぞれ前記複数Ｎ個の分割暗号化メールを受信し、受信した前記複数Ｎ個の分割暗号化メールを１つに結合して前記暗号化メールに戻す処理を行ない、前記暗号化メールを復号して前記電子メールに戻す処理を行なう、ことを特徴とする。
【０００９】
また、前記送信側のメールクライアントは、少なくとも、少なくとも複数Ｎのメールサーバの電子メールアカウントを登録し記憶するアカウント設定記憶手段と、受信側のメールクライアントの少なくとも複数Ｎのメールアドレスを登録し記憶するアドレス帳設定記憶手段と、電子メールを作成するメール作成手段と、作成された電子メールを暗号化して暗号化メールを生成する暗号化手段と、該暗号化メールを複数Ｎ個にファイル分割して複数Ｎ個の分割暗号化メールを生成するメール分割手段と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信手段と、を備え、前記受信側のメールクライアントは、少なくとも、複数Ｎのメールサーバの電子メールアカウントを登録し記憶するアカウント設定記憶手段と、複数Ｎのメールアドレスを登録し記憶するアドレス帳設定記憶手段と、複数Ｎのメールサーバからそれぞれ前記複数Ｎ個の分割暗号化メールを受信するメール受信手段と、受信した前記複数Ｎ個の分割暗号化メールを１つに結合して前記暗号化メールに戻す処理を行なうメール結合手段と、前記暗号化メールを復号して前記電子メールに戻す処理を行なう復号化手段と、前記電子メールを閲覧させるメール閲覧手段と、を備える、ことを特徴とする。
【００１０】
本発明のメールクライアントは、電子メールを受信し転送するメールサーバに通信ネットワークを介して通信可能に接続されるメールクライアントであって、前記メールクライアントは、作成された電子メールを暗号化して暗号化メールを生成し、該暗号化メールを複数Ｎ個にファイル分割して複数Ｎ個の分割暗号化メールを生成し、該複数Ｎ個の分割暗号化メールをそれぞれ異なる複数Ｎのメールサーバに送信することにより複数Ｎの通信経路を介して前記電子メールの宛先となるメールクライアントに送信する、ことを特徴とする。
【００１１】
また、前記メールクライアントは、複数Ｎのメールサーバからそれぞれ複数Ｎ個の分割暗号化メールを受信した場合には、受信した前記複数Ｎ個の分割暗号化メールを１つに結合して暗号化メールに戻す処理を行ない、前記暗号化メールを復号して電子メールに戻す処理を行なう、ことを特徴とする。
【００１２】
さらに、前記メールクライアントは、少なくとも複数Ｎのメールサーバの電子メールアカウントを登録し記憶するアカウント設定記憶手段と、受信側のメールクライアントの少なくとも複数Ｎのメールアドレスを登録し記憶するアドレス帳設定記憶手段と、電子メールを作成するメール作成手段と、作成された電子メールを暗号化して暗号化メールを生成する暗号化手段と、該暗号化メールを複数Ｎ個にファイル分割して複数Ｎ個の分割暗号化メールを生成するメール分割手段と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信手段と、複数Ｎのメールサーバからそれぞれ複数Ｎ個の分割暗号化メールを受信するメール受信手段と、受信した前記複数Ｎ個の分割暗号化メールを１つに結合して暗号化メールに戻す処理を行なうメール結合手段と、前記暗号化メールを復号して電子メールに戻す処理を行なう復号化手段と、前記電子メールを閲覧させるメール閲覧手段と、を備えることを特徴とする。
【００１３】
本発明のメールクライアントの制御方法は、電子メールを受信し転送するメールサーバに通信ネットワークを介して通信可能に接続されるメールクライアントを制御するメールクライアントの制御方法であって、少なくとも複数Ｎのメールサーバの電子メールアカウントをアカウント設定記憶手段に登録し記憶するアカウント設定記憶ステップと、受信側のメールクライアントの少なくとも複数Ｎのメールアドレスをアドレス帳設定記憶手段に登録し記憶するアドレス帳設定記憶ステップと、電子メールを作成するメール作成ステップと、作成された電子メールを暗号化して暗号化メールを生成する暗号化ステップと、該暗号化メールを複数Ｎ個にファイル分割して複数Ｎ個の分割暗号化メールを生成するメール分割ステップと、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信ステップと、を実行することを特徴とする。
【００１４】
また、前記メールクライアントが複数Ｎのメールサーバからそれぞれ複数Ｎ個の分割暗号化メールを受信した場合には、受信した前記複数Ｎ個の分割暗号化メールを１つに結合して暗号化メールに戻す処理を行なうメール結合ステップと、前記暗号化メールを復号して電子メールに戻す処理を行なう復号化ステップと、前記電子メールを閲覧させるメール閲覧ステップと、を実行することを特徴とする。
【００１５】
本発明のプログラムは、電子メールを受信し転送するメールサーバに通信ネットワークを介して通信可能に接続されるメールクライアントのコンピュータに、少なくとも複数Ｎのメールサーバの電子メールアカウントをアカウント設定記憶手段に登録し記憶するアカウント設定記憶処理と、受信側のメールクライアントの少なくとも複数Ｎのメールアドレスをアドレス帳設定記憶手段に登録し記憶するアドレス帳設定記憶処理と、電子メールを作成するメール作成処理と、作成された電子メールを暗号化して暗号化メールを生成する暗号化処理と、該暗号化メールを複数Ｎ個にファイル分割して複数Ｎ個の分割暗号化メールを生成するメール分割処理と、該複数Ｎ個の分割暗号化メールに、前記アドレス帳設定記憶手段に記憶されているメールアドレスをそれぞれ設定し、前記アカウント設定記憶手段に記憶されている複数Ｎのメールサーバに前記メールアドレスの設定された複数Ｎ個の分割暗号化メールをそれぞれ送信するメール送信処理と、を実行させることを特徴とする。
【００１６】
また、前記メールクライアントが複数Ｎのメールサーバからそれぞれ複数Ｎ個の分割暗号化メールを受信した場合には、受信した前記複数Ｎ個の分割暗号化メールを１つに結合して暗号化メールに戻すメール結合処理と、前記暗号化メールを復号して電子メールに戻す復号化処理と、前記電子メールを閲覧させるメール閲覧処理と、を実行させることを特徴とする。
【００１７】
【発明の実施の形態】
次に、本発明の実施の形態について図面を参照して説明する。
【００１８】
図１は、本発明の電子メールシステムの一実施形態を示すブロック図である。本発明の電子メールシステムは、電子メールの送信側では電子メールの内容を暗号化および複数Ｎ個にファイル分割した後、個々を複数Ｎのメールサーバに送信し、受信側では複数Ｎの情報を結合および復号化することにより、メールサーバ等のインフラ側では傍受困難な高秘匿の電子メール通信を実現するものである。
【００１９】
すなわち、図１に示す本実施の形態は、電子メールの作成（及び暗号化）・（復号化して）閲覧と、該電子メールを複数Ｎ個に分割して送受信するメールクライアント１０（１０−１、１０−２）と、複数Ｎ個に分割された各々の電子メールを、インターネット３０を介して各々の電子メールの宛先に中継・転送するメールサーバ２０（２０−１、２０−２、２０−３、２０−４、２０−ｍ）と、から構成されている。
【００２０】
メールクライアント１０は、電子メールの作成・閲覧および送受信機能を備え、パーソナルコンピュータなどの情報処理装置によって構成されている。メールサーバ２０は、電子メールの中継・転送機能を備え、ワークステーション・サーバなどの情報処理装置によって構成されている。
【００２１】
なお、図１に示す本実施形態においては、以降の説明の容易化のため、メールクライアント１０−１はＸ氏が有し、かつ、電子メールの送信側であるものとし、メールクライアント１０−２はＹ氏が有し、かつ、電子メールの受信側であるものとする。また、電子メールの分割数Ｎは「２」であるものとし、２つに分割された電子メールの一方は、メールサーバ２０−１（メールサーバ（Ａ）と表記）とメールサーバ２０−３（メールサーバ（Ｃ）と表記）にて中継され、他方は、メールサーバ２０−２（メールサーバ（Ｂ）と表記）とメールサーバ２０−４（メールサーバ（Ｄ）と表記）にて中継されるものとする。なお、電子メールの分割数Ｎを「２」としたため、メールクライアント１０−１は少なくとも２つのメールアドレスを有し、それぞれ図示のように、「ＸＸＸ＠ａａａ．ｎｅ．ｊｐ」、「ＸＸＸ＠ｂｂｂ．ｎｅ．ｊｐ」であるものとし、メールクライアント１０−２も少なくとも２つのメールアドレスを有し、それぞれ図示のように、「ＹＹＹ＠ｃｃｃ．ｎｅ．ｊｐ」、「ＹＹＹ＠ｄｄｄ．ｎｅ．ｊｐ」であるものとする。
【００２２】
次に、図２を参照して、図１に示したメールクライアント１０の構成について説明する。
【００２３】
図２は、メールクライアントの一例を示す詳細ブロック図である。
【００２４】
図２において、メールクライアント１０は、電子メールの送信側としては、入出力装置などにより電子メールを作成するメール作成部１１と、該電子メールの暗号化を行って暗号化メールを生成する暗号化部１２と、暗号化メールを複数Ｎ個にファイル分割して複数Ｎ個の分割暗号化メールを生成するメール分割部１３と、複数Ｎ個に分割された分割暗号化メールを複数Ｎのメールサーバ２０にそれぞれ送信するメール送信部１４と、を備えて構成されている。また、電子メールの受信側としては、複数Ｎのメールサーバ２０から個々の分割暗号化メールを受信するメール受信部１５と、複数Ｎ個の分割暗号化メールを１つに結合して暗号化メールに戻す処理を行なうメール結合部１６と、１つに結合された暗号化メールを復号して元の電子メールに戻す処理を行なう復号化部１７と、復号した電子メールを表示装置などに表示するメール閲覧部１８と、を備えて構成されている。
【００２５】
また、メールクライアント１０は、複数Ｎのメールサーバ２０に接続するために、メールサーバ２０のネットワーク情報であるところの、所謂、電子メールアカウントを、少なくとも複数Ｎ個登録し記憶するアカウント設定記憶部１０１と、電子メールの宛先となるメールクライアント１０の電子メールアドレスを、少なくとも複数Ｎ個登録し記憶するアドレス帳設定記憶部１０２と、を備えている。
【００２６】
なお、図２に示したメールクライアント１０の各機能は、メールクライアント１０の備えるＣＰＵ（Ｃｅｎｔｒａｌ  Ｐｒｏｃｅｓｓｉｎｇ  Ｕｎｉｔ  ：中央処理装置）が実行するプログラムによって実現されるようになっている。
【００２７】
次に、図３を参照して、メールクライアント１０の備えるアカウント設定記憶部１０１に登録され記憶される電子メールアカウントについて説明する。
【００２８】
図３は、メールクライアントの備えるアカウント設定記憶部に記憶される電子メールアカウントの一例を示す図である。
【００２９】
図３（ａ）に示す電子メールアカウントは、図１に示したＸ氏の有するメールクライアント１０−１に設定される電子メールアカウントを示しており、メールクライアント１０−１が接続するメールサーバ２０を示すサーバ３０１の列と、該サーバのサーバ名３０２の列と、該サーバで使用するＸ氏のアカウント名３０３の列と、該サーバに接続する際に必要となるパスワード３０４の列と、該サーバに関する設定情報を記載するその他３０５の列と、から成っている。
【００３０】
そして、メールクライアント１０−１は、図１に示したように、少なくともメールサーバ２０−１（メールサーバ（Ａ））とメールサーバ２０−２（メールサーバ（Ｂ））に接続するものであるため、図３（ａ）の３１１の行に、メールサーバ２０−１（メールサーバ（Ａ））に関する情報が記載され、図３（ａ）の３１２の行に、メールサーバ２０−２（メールサーバ（Ｂ））に関する情報が記載されている。
【００３１】
すなわち、図３（ａ）の３１１の行では、メールサーバ２０−１（メールサーバ（Ａ））に関し（３０１の列）、該サーバのサーバ名３０２を「ａａａ．ｎｅ．ｊｐ  」とし、該サーバに対するアカウント名３０３を「ＸＸＸ  」（Ｘ氏のアカウント名を示すものとする）とし、該サーバに接続する際のパスワード３０４を「＊＊＊＊＊＊＊＊」とし、該サーバのその他３０５に「ＥＴＣ．」の情報を記載している。該サーバのその他３０５としては、該サーバの種類（例えば、ＰＯＰ３（Ｐｏｓｔ  Ｏｆｆｉｃｅ  Ｐｒｏｔｏｃｏｌ  Ｖｅｒｓｉｏｎ３）を使用している、或いは、ＩＭＡＰ（Ｉｎｔｅｒｎｅｔ  Ｍｅｓｓａｇｅ  Ａｃｃｅｓｓ  Ｐｒｏｔｏｃｏｌ）を使用している、など）や、該サーバのポート番号、など、該サーバに接続するために必要なネットワーク情報が記載されるが、これ以上の詳細説明は省略するものとする。
【００３２】
図３（ａ）の３１１の行で、アカウント名３０３を「ＸＸＸ  」としサーバ名３０２を「ａａａ．ｎｅ．ｊｐ  」としているため、メールサーバ２０−１（メールサーバ（Ａ））に接続する際のメールクライアント１０−１のメールアドレスは、「ＸＸＸ＠ａａａ．ｎｅ．ｊｐ  」となる。
【００３３】
同様に、図３（ａ）の３１２の行では、メールサーバ２０−２（メールサーバ（Ｂ））に関し（３０１の列）、該サーバのサーバ名３０２を「ｂｂｂ．ｎｅ．ｊｐ  」とし、該サーバに対するアカウント名３０３を「ＸＸＸ  」（Ｘ氏のアカウント名を示すものとする）とし、該サーバに接続する際のパスワード３０４を「＊＊＊＊＊＊＊＊」とし、該サーバのその他３０５に「ＥＴＣ．」の情報を記載している。
【００３４】
図３（ａ）の３１２の行で、アカウント名３０３を「ＸＸＸ  」としサーバ名３０２を「ｂｂｂ．ｎｅ．ｊｐ  」としているため、メールサーバ２０−２（メールサーバ（Ｂ））に接続する際のメールクライアント１０−１のメールアドレスは、「ＸＸＸ＠ｂｂｂ．ｎｅ．ｊｐ  」となる。
【００３５】
図３（ｂ）に示す電子メールアカウントは、図１に示したＹ氏の有するメールクライアント１０−２に設定される電子メールアカウントを示しており、メールクライアント１０−２が接続するメールサーバ２０のネットワーク情報を、図３（ａ）とまったく同様の形式で記載するものである。
【００３６】
そして、メールクライアント１０−２は、図１に示したように、少なくともメールサーバ２０−３（メールサーバ（Ｃ））とメールサーバ２０−４（メールサーバ（Ｄ））に接続するものであるため、図３（ｂ）の３１６の行に、メールサーバ２０−３（メールサーバ（Ｃ））に関する情報が記載され、図３（ｂ）の３１７の行に、メールサーバ２０−４（メールサーバ（Ｄ））に関する情報が記載されている。
【００３７】
図３（ｂ）の３１６の行で、アカウント名３０３を「ＹＹＹ  」としサーバ名３０２を「ｃｃｃ．ｎｅ．ｊｐ  」としているため、メールサーバ２０−３（メールサーバ（Ｃ））に接続する際のメールクライアント１０−２のメールアドレスは、「ＹＹＹ＠ｃｃｃ．ｎｅ．ｊｐ  」となる。
【００３８】
同様に、図３（ｂ）の３１７の行で、アカウント名３０３を「ＹＹＹ  」としサーバ名３０２を「ｄｄｄ．ｎｅ．ｊｐ  」としているため、メールサーバ２０−４（メールサーバ（Ｄ））に接続する際のメールクライアント１０−２のメールアドレスは、「ＹＹＹ＠ｄｄｄ．ｎｅ．ｊｐ  」となる。
【００３９】
次に、図４を参照して、メールクライアント１０の備えるアドレス帳設定記憶部１０２に登録され記憶されるアドレス帳について説明する。
【００４０】
図４は、メールクライアントの備えるアドレス帳設定記憶部に記憶されるアドレス帳の一例を示す図である。
【００４１】
図４（ａ）に示すアドレス帳は、図１に示したＸ氏の有するメールクライアント１０−１に設定されるアドレス帳を示しており、メールクライアント１０−１から送信する電子メールの宛先となるユーザの名前を示すユーザ名４０１の列と、該ユーザの第１の電子メールアドレスを示すアドレス（１）４０２の列と、該ユーザの第２の電子メールアドレスを示すアドレス（２）４０３の列と、以下、該ユーザの第Ｎ迄の電子メールアドレスを示すアドレス（３）４０４、アドレス（４）４０５、・・・の列と、から成っている。
【００４２】
そして、メールクライアント１０−１は、図１に示したように、少なくともＹ氏宛てに電子メールを送信するものであるため、図４（ａ）の４１１の行に、Ｙ氏に関する電子メールアドレスが記載されている。
【００４３】
すなわち、図４（ａ）の４１１の行では、Ｙ氏に関し（４０１の列）、該ユーザ（Ｙ氏）のアドレス（１）４０２に「ＹＹＹ＠ｃｃｃ．ｎｅ．ｊｐ  」と登録し、該ユーザのアドレス（２）４０３に「ＹＹＹ＠ｄｄｄ．ｎｅ．ｊｐ  」と登録している。
【００４４】
図４（ｂ）に示すアドレス帳は、図１に示したＹ氏の有するメールクライアント１０−２に設定されるアドレス帳を示しており、メールクライアント１０−２から送信する電子メールの宛先となるユーザの電子メールアドレスを、図４（ａ）とまったく同様の形式で登録するものである。
【００４５】
そして、メールクライアント１０−２は、図１に示したように、少なくともＸ氏宛てに電子メールを送信するものであるため、図４（ｂ）の４１６の行に、Ｘ氏に関する電子メールアドレスが記載されている。
【００４６】
すなわち、図４（ｂ）の４１６の行では、Ｘ氏に関し（４０１の列）、該ユーザ（Ｘ氏）のアドレス（１）４０２に「ＸＸＸ＠ａａａ．ｎｅ．ｊｐ  」と登録し、該ユーザのアドレス（２）４０３に「ＸＸＸ＠ｂｂｂ．ｎｅ．ｊｐ  」と登録している。
【００４７】
次に、図５を参照して、本実施形態の動作について詳細に説明する。
【００４８】
図５は、本実施形態の動作を説明する図である。なお、図５において図１に示す構成要素に対応するものは同一の参照数字または符号を付し、その説明を省略するものとする。
【００４９】
図５において、メールクライアント１０−１を有するＸ氏は、電子メールの送信者であり、ある情報を、電子メールを使用して誰にも傍受されず高秘匿でＹ氏に対して送信したいものとする。なお、図５においては、電子メールの分割数Ｎは「２」であるものとする。
【００５０】
Ｘ氏は、先ず、自己の有するメールクライアント１０−１のアカウント設定記憶部１０１に、メールクライアント１０−１が接続する２つのメールサーバ２０（すなわち、メールサーバ２０−１と２０−２）の電子メールアカウントを登録し記憶させておく。該電子メールアカウントは、図３（ａ）の３１１の行、及び、図３（ａ）の３１２の行に示した通りである。また、メールクライアント１０−１のアドレス帳設定記憶部１０２に、Ｙ氏の２つの電子メールアドレス（すなわち、図４（ａ）の４１１の行で示したアドレス「ＹＹＹ＠ｃｃｃ．ｎｅ．ｊｐ  」と「ＹＹＹ＠ｄｄｄ．ｎｅ．ｊｐ  」。）を登録しておく。
【００５１】
そして、Ｘ氏は、メールクライアント１０−１のメール作成部１１を使用して電子メールを作成する（図５のステップＳ１）。該電子メールは、暗号化部１２により暗号化されて暗号化メールが生成され（図５のステップＳ２）、該暗号化メールは、メール分割部１３により２つに分割されて２つの分割暗号化メールとなる（図５のステップＳ３）。
【００５２】
メールクライアント１０−１のメール送信部１４は、アカウント設定記憶部１０１とアドレス帳設定記憶部１０２を参照して、２つの分割暗号化メールの一方を、Ｙ氏の第１の電子メールアドレス「ＹＹＹ＠ｃｃｃ．ｎｅ．ｊｐ  」を宛先としてメールサーバ２０−１に送信し、他方の分割暗号化メールを、Ｙ氏の第２の電子メールアドレス「ＹＹＹ＠ｄｄｄ．ｎｅ．ｊｐ  」を宛先としてメールサーバ２０−２に送信する。
【００５３】
メールサーバ２０−１は、上記一方の分割暗号化メールをメールサーバ２０−３に転送し、メールサーバ２０−３は、これをＹ氏の有するメールクライアント１０−２へ送信する。メールサーバ２０−２は、上記他方の分割暗号化メールをメールサーバ２０−４に転送し、メールサーバ２０−４は、これをＹ氏の有するメールクライアント１０−２へ送信する。
【００５４】
メールクライアント１０−２のメール受信部１５は、メールサーバ２０−３及びメールサーバ２０−４から送信された２つの分割暗号化メールを受信し、２つの分割暗号化メールは、メール結合部１６により結合され、１つの暗号化メールに戻す処理が行なわれる（図５のステップＳ４）。１つに結合された暗号化メールは、複合化部１７により復号されて元の電子メールが復元される（図５のステップＳ５）。Ｙ氏は、復元された電子メールをメール閲覧部１８により閲覧する（図５のステップＳ６）。
【００５５】
以上説明したように、本実施形態によれば、電子メールを暗号化し、かつ、暗号化した暗号化メールを複数Ｎ個に分割して、複数Ｎ個の分割暗号化メールを複数Ｎのメールサーバにそれぞれ送信するようにしている。従って、複数Ｎ個の分割暗号化メールは、それぞれ異なる経路を介して受信側に届けられるため、メールサーバ等のインフラ側では全情報を収集することは不可能となり、完全な傍受を行うことは出来ず、高秘匿の電子メール通信を行うことが可能となる。また、メールサーバ等のインフラ設備は既存のものをそのまま使用可能であるため、インフラ設備を再構築する必要は無い。
【００５６】
次に、図６を参照して、本発明の第２の実施形態について説明する。
【００５７】
図６は、本発明の電子メールシステムの第２の実施形態を示すブロック図である。なお、図６において図１に示す構成要素に対応するものは同一の参照数字または符号を付し、その説明を省略するものとする。
【００５８】
すなわち、図６に示す第２の実施形態は、図１に示した第１の実施形態のメールサーバ２０−１（メールサーバ（Ａ））に、送信側のメールクライアント１０−１が接続されると共に、受信側のメールクライアント１０−２も接続され、また、メールサーバ２０−２（メールサーバ（Ｂ））に、送信側のメールクライアント１０−１が接続されると共に、受信側のメールクライアント１０−２も接続される構成を示すものである。このような構成は、例えば、社内ＬＡＮ（Ｌｏｃａｌ  Ａｒｅａ  Ｎｅｔｗｏｒｋ：ラン）を用いて電子メールシステムを構築する場合に用いられる構成である。
【００５９】
図６において、メールクライアント１０−１と１０−２、及び、メールサーバ２０−１と２０−２は、図１に示したものとまったく同一の機能と構成を有している。但し、メールクライアント１０−２の２つの電子メールアドレスが、それぞれ、「ＹＹＹ＠ａａａ．ｎｅ．ｊｐ  」、「ＹＹＹ＠ｂｂｂ．ｎｅ．ｊｐ  」となっている点でのみ異なっている。これは、メールクライアント１０−２の接続するメールサーバ２０−１と２０−２の電子メールアカウントとして、そのサーバ名（図３（ｂ）の３１６の行と３１７の行で示したサーバ名３０２）に、それぞれ、「ａａａ．ｎｅ．ｊｐ  」、「ｂｂｂ．ｎｅ．ｊｐ  」を登録しているためである。
【００６０】
また、図６に示した第２の実施形態の動作についても、第１の実施形態と同様であるため、これ以上の説明は省略するものとする。
【００６１】
【発明の効果】
以上説明したように、本発明の電子メールシステムとメールクライアント及びその制御方法並びにプログラムは、電子メールを暗号化して複数Ｎ個に分割し、分割した複数Ｎ個の分割暗号化メールが、それぞれ異なる経路を介して受信側に届けられるため、高秘匿の電子メール通信を行うことが可能となる、という効果を有している。
【図面の簡単な説明】
【図１】本発明の電子メールシステムの一実施形態を示すブロック図である。
【図２】メールクライアントの一例を示す詳細ブロック図である。
【図３】メールクライアントの備えるアカウント設定記憶部に記憶される電子メールアカウントの一例を示す図である。
【図４】メールクライアントの備えるアドレス帳設定記憶部に記憶されるアドレス帳の一例を示す図である。
【図５】本実施形態の動作を説明する図である。
【図６】本発明の電子メールシステムの第２の実施形態を示すブロック図である。
【符号の説明】
１０    メールクライアント
１０１    アカウント設定記憶部
１０２    アドレス帳設定記憶部
１１    メール作成部
１２    暗号化部
１３    メール分割部
１４    メール送信部
１５    メール受信部
１６    メール結合部
１７    復号化部
１８    メール閲覧部
２０    メールサーバ
３０    インターネット
【図１】
2004355089.tif 000003
【図２】
2004355089.tif 000004
【図３】
2004355089.tif 000005
【図４】
2004355089.tif 000006
【図５】
2004355089.tif 000007
【図６】
2004355089.tif 000008